(57)【要約】      （修正有）【課題】構成を簡略化して製造が容易な石鹸の泡立て具を提供する。【解決手段】泡立具は、円筒状ネットが二つ折りに重ね合わされた二重筒体２からなり、折り曲げ端部と反対側の開放端部４が閉じられて、その閉じ部５が石鹸８の収容部９を構成するとともに、二重筒体の内部中段に収納され、閉じ部が収納された側の筒体端部６に閉じ紐７が挿通される。【選択図】図５
0003226139.tif 000002
【実用新案登録請求の範囲】
【請求項１】
円筒状ネットを二つ折りに重ね合わされた二重筒体であり、折り曲げ端部と反対の開放端部が閉じられて、該閉じ部が二重筒体の内部中段に移動させられ、該閉じ部の移動方向の筒体端部に閉じ紐が挿通されてなることを特徴とする泡立て具。
【請求項２】
前記折り曲げ端部と反対の開放端部の閉じをミシン縫いで行うことを特徴とする請求項１に記載の泡立て具。
【請求項３】
前記折り曲げ部と反対の開放端部の閉じを熱溶着により行うことを特徴とする請求項１に記載の泡立て具。
【考案の詳細な説明】
【技術分野】
【０００１】
本考案は、固形石鹸、液体石鹸等を泡立てて、顔や身体の洗浄に使用する泡立て具に関する。
【背景技術】
【０００２】
従来、ポリエチレンなどのネット材料で構成され、両端が開放した筒状のスカート部分と、該スカート部分の上端に連結され且つネット材料で構成された有底の袋部分であって、前記スカート部分の内側に配設されて固形石鹸を収容するための袋部分とを有する泡立てネットであって、前記スカート部分の上端部と前記袋部分の開放した上端部とを連結する周方向に延びる連結手段と、該連結手段によって前記スカート部分の上端部と前記袋部分の上端部との間に形成された紐挿通通路と、該紐挿通通路に挿入されたひもと、前記スカート部分に形成され、前記紐を前記紐挿通通路から外部に延出させる開口とを有し、前記紐を引き絞ることで、前記スカート部分と前記袋部分の上端開口を閉じることができる泡立てネットが提案されている（特許文献１）。
【先行技術文献】
【特許文献】
【０００３】
【特許文献１】特開２０１１−１９６９０号公報
【０００４】
前記構成の泡立てネットによれば、固形石鹸を内蔵させて、この固形石鹸を使って泡をつくることができるだけではなく、固形石鹸を取り出して使用した時に使用者にソフトな使用感を提供できるとしている。
【考案の概要】
【考案が解決しようとする課題】
【０００５】
本考案は、前記スカート部分の内側に配設されて固形石鹸を収容するための袋部分を準備する必要がなく、したがって、前記スカート部分の上端部と前記袋部分の開放した上端部とを連結する周方向に延びる連結手段を必要とせず、さらに紐挿通通路を改めて形成する必要のない、構成を簡略化して製造が容易な泡立てネットを提供することを目的とする。
【課題を解決するための手段】
【０００６】
前記課題を解決するため、本考案の泡立て具は、円筒状ネットを二つ折りに重ね合わされた二重筒体であり、折り曲げ端部と反対側の開放端部が閉じられて、該閉じ部が二重筒体の内部中段に移動させられ、該閉じ部の移動方向の筒体端部に閉じ紐が挿通させられてなることを特徴とする（請求項１）。
【０００７】
前記構成の本考案によれば、前記従来の泡立てネットのように、スカート部分の内側に固形石鹸を収容するための袋部分を準備する必要がない。したがって、前記スカート部分の上端部と前記袋部分の開放した上端部とを連結する周方向に延びる連結手段を必要としない。さらに、紐挿通部を改めて形成する必要もないものである。
【０００８】
なお、本考案によれば、固形石鹸等の収容部と泡立ち機能を発揮する二重のスカート部分が必然的に形成される。さらに、泡立て具としての使用後は石鹸ポーチとして閉じ紐により吊り下げることができその取扱いも容易である。
【０００９】
本考案の実施の一形態は、前記折り曲げ端部と反対側の開放端部の閉じ部をミシン縫いとしたことを特徴とする（請求項２）。この実施の一形態によれば、前記開放端部を容易に閉じることができる。
【００１０】
本考案の実施の一形態は、前記折り曲げ端部と反対側の開放端部の閉じを熱溶着により行うことを特徴とする（請求項３）。この実施の一形態は円筒状ネットがポリエチレン等の樹脂で形成されている場合に適用される。
【考案の効果】
【００１１】
本考案によれば、構成を簡略化して製造が容易な泡立て具を提供することができる。
【図面の簡単な説明】
【００１２】
【図１】本考案の一実施例を示し円筒状ネットの斜視図である。
【図２】二つ折りに重ね合わされた二重筒体の正面図である。
【図３】折り曲げ端部と反対側の開放端部を閉じた状態を示す正面図である。
【図４】閉じ部を二重筒体の内部中段に移動させた状態を示す正面図である。
【図５】筒体端部に閉じ紐を挿通した状態および石鹸収納状態を示す正面図である。
【考案を実施するための形態】
【００１３】
以下に、添付図面を参照して本考案を説明する。
【００１４】
図１はポリエチレン等の柔軟性樹脂からなる円筒状ネット１である。本考案の泡立て具の製造に当たっては、図２に示すように、前記円筒状ネット１が二つ折りに重ね合わされて二重筒体２が構成される。図２において、３は折り曲げ端部であり、その反対側が開放端部４である。
【００１５】
つぎに、図３に示すように、前記開放端部４がミシン縫いにより閉じられて閉じ部５が形成される。なお、ミシン縫いに変えて熱溶着により閉じ部５を形成してもよい。
【００１６】
つぎに、図４に示すように、前記閉じ部５が二重筒体２の内部の中段に収納させられる。該閉じ部５の二重筒体２の内部の中段への収納は閉じ部５を二重筒体２の内部に均等に送り込むことのより行うことができる。
【００１７】
その後、図５に示すように、閉じ部５の収納方向の筒体端部６に閉じ紐７が挿通される。閉じ紐７の挿通はネットを形成する目の一部を伸長して紐通し具等を使用して行うことができる。
【００１８】
前記構成の本考案の泡立て具は、前記閉じ部５が固形石鹸等８の収納部９とされる。そして、固形石鹸等８の収納部９を前記閉じ紐７により閉じて顔や身体の洗浄に使用される。図中、１０は泡立て機能を発揮する二重のスカート部分である。
【００１９】
本考案の泡立て具は、スカート部分の内側に配設されて固形石鹸を収容するための袋部分を準備する必要がなく、該袋部分とスカート部分との連結手段を必要とせず、さらに紐挿通通路を改めて形成する必要がない。
【００２０】
本考案は、所要の長さの円筒状ネットを用意するだけで、固形石鹸等の収容部と泡立て機能を発揮する二重のスカート部分が必然的に形成される。したがって、構成を簡略化して製造が容易である。
【００２１】
さらに、泡立て具としての使用後は石鹸ポーチとして閉じ紐により吊り下げることができその取扱いが容易である。
【符号の説明】
【００２２】
１    円筒状ネット
２    二重筒体
３    折り曲げ端部
４    開放端部
５    閉じ部
６    閉じ部収納方向の筒体端部
７    閉じ紐
８    固形石鹸等
９    固形石鹸等の収納部
１０  スカート部分
【図１】
0003226139.tif 000003
【図２】
0003226139.tif 000004
【図３】
0003226139.tif 000005
【図４】
0003226139.tif 000006
【図５】
0003226139.tif 000007
【手続補正書】
【提出日】令和2年2月26日(2020.2.26)
【手続補正１】
【補正対象書類名】実用新案登録請求の範囲
【補正対象項目名】全文
【補正方法】変更
【補正の内容】
【実用新案登録請求の範囲】
【請求項１】
円筒状ネットを二つ折りに重ね合わされた二重筒体であり、折り曲げ端部と反対側の開放端部が閉じられて、該折り曲げ端部と反対側の閉じ部が二重筒体の内部の中段に収納されて、該閉じ部が収納された側の筒体端部に閉じ紐が挿通されてなることを特徴とする泡立て具。
【請求項２】
前記折り曲げ端部と反対側の開放端部の閉じは、ミシン縫いで行われていることを特徴とする請求項１に記載の泡立て具。
【請求項３】
前記折り曲げ端部と反対側の開放端部の閉じは、熱溶着により行われていることを特徴とする請求項１に記載の泡立て具。
【手続補正２】
【補正対象書類名】明細書
【補正対象項目名】０００６
【補正方法】変更
【補正の内容】
【０００６】
前記課題を解決するため、本考案於泡立て具は、円筒状ネットを二つ折りに重ね合わされた二重筒体であり、折り曲げ端部と反対側の開放端部が閉じられて、該折り曲げ端部と反対側の閉じ部が二重筒体の内部の中段に収納されて、該閉じ部が収納された側の筒体端部に閉じ紐が挿通されてなることを特徴とする（請求項１）
【手続補正３】
【補正対象書類名】明細書
【補正対象項目名】０００９
【補正方法】変更
【補正の内容】
【０００９】
本考案の実施の一形態は、前記折り曲げ端部と反対側の開放端部の閉じは、ミシン縫いで行われていることを特徴とする（請求項２）。この実施の一形態によれば、前記開放端部を容易に閉じることができる。
【手続補正４】
【補正対象書類名】明細書
【補正対象項目名】００１０
【補正方法】変更
【補正の内容】
【００１０】
本考案の実施の一形態は、前記折り曲げ端部と反対側の開放端部の閉じは、熱溶着により行われていることを特徴とする（請求項３）。この実施の一形態は円筒状ネットがポリエチレン等の樹脂で形成されている場合に適用される。
【手続補正５】
【補正対象書類名】明細書
【補正対象項目名】００１６
【補正方法】変更
【補正の内容】
【００１６】
つぎに、図４に示すように、前記閉じ部５が二重筒体２の内部の中段に収納される。該閉じ部５の二重筒体２の内部の中段への収納は閉じ部５を二重筒体２の内部に均等に送り込むことにより行うことができる。
【手続補正６】
【補正対象書類名】明細書
【補正対象項目名】００１７
【補正方法】変更
【補正の内容】
【００１７】
その後、図５に示すように、閉じ部５が収納された側の筒体端部６に閉じ紐７が挿通される。閉じ紐７の挿通はネットを形成する目の一部を伸長して紐通し具等を使用して行うことができる。
【手続補正７】
【補正対象書類名】明細書
【補正対象項目名】００２２
【補正方法】変更
【補正の内容】
【００２２】
１    円筒状ネット
２    二重筒体
３    折り曲げ端部
４    開放端部
５    閉じ部
６    閉じ部が収納された側の筒体端部
７    閉じ紐
８    固形石鹸等
９    固形石鹸等の収納部
１０  スカート部分